【手続補正書】
【提出日】平成20年9月29日(2008.9.29)
【手続補正１】
【補正対象書類名】特許請求の範囲
【補正対象項目名】全文
【補正方法】変更
【補正の内容】
【特許請求の範囲】
【請求項１】
振込人を含む複数の顧客の各人を特定するための識別情報、および各顧客の預金残高を対応させた口座情報が記憶された口座情報記憶手段と、
振込人により、少なくとも受取人口座を含む受取人の連絡先を表す受取人情報が入力されると、受取人が振込金を受け取るために使用する受取用パスワードを生成するパスワード生成手段と、
該パスワード生成手段により生成された受取用パスワードを、振込人の識別情報および前記受取人口座に関連付けて記憶する振込情報記憶手段と、
該パスワード生成手段により生成された受取用パスワード、および振込人を特定するための識別情報を前記受取人の連絡先に送信する振込情報送信手段と、
受取用パスワード、指定振込金額が外部入力されると、該受取用パスワードが、前記振込情報記憶手段に記憶された受取用パスワードと一致するか否かを判定するパスワード判定手段と、
前記パスワード判定手段により、前記受取用パスワードが、前記振込情報記憶手段に記憶された受取用パスワードと一致すると判定された場合に、前記指定振込金額分だけ、前記口座情報記憶手段に振込人の識別情報と対応させて記憶された預金残高から減算して記憶し直すとともに、受取人口座と振込金額とを含む振込指令を受けると振込金額分だけ受取人口座の預金残高を加算する管理装置に対して前記指定振込金額分だけ加算するよう振込指令を送る指令制御手段と、
を備えたことを特徴とする振込制御装置。
【請求項２】
前記振込情報送信手段は、前記受取用パスワード、および前記振込人の識別情報を、振込指令に含めて、前記受取人口座の管理装置に対して送信することを特徴とする請求項１に記載の振込制御装置。
【請求項３】
振込人により入力される受取人情報には、受取人が受取可能な金額の範囲を表す許可情報が含まれており、
前記振込情報記憶手段は、前記許可情報を、前記受取用パスワード、振込人の識別情報、および前記受取人口座に関連付けて記憶するよう構成されており、
前記受取用パスワードと前記指定振込金額が外部入力されると、該指定振込金額が前記振込情報記憶手段に記憶された許可情報により許可された金額の範囲であるか否かを判定する金額判定手段と、
該金額判定手段により前記指定振込金額が前記許可情報により許可された金額の範囲ではないと判定された場合に、前記指令制御手段を動作させないようにする第１禁止手段と、
を備えたことを特徴とする請求項１または請求項２に記載の振込制御装置。
【請求項４】
前記振込情報記憶手段により、前記許可情報が記憶されると、前記パスワード判定手段により、前記受取用パスワードが、前記振込情報記憶手段に記憶された受取用パスワードと一致すると判定されるまでは、前記口座情報記憶手段に記憶された当該振込人の預金残高が、前記許可情報により特定される金額の上限額未満にならないよう該預金残高の減算を禁止する減算禁止手段を備えたことを特徴とする請求項３に記載の振込制御装置。
【請求項５】
振込人により入力される受取人情報には、受取人からの振込希望情報を受付可能な期間を表す期間情報が含まれており、
前記振込情報記憶手段は、前記期間情報を、前記受取用パスワード、振込人の識別情報、および前記受取人口座に関連付けて記憶するよう構成されており、
前記受取用パスワードが外部入力されると、該受取用パスワードが入力された時刻が前記振込情報記憶手段に記憶された期間情報により許可された期間内であるか否かを判定す
る時刻判定手段と、
該時刻判定手段により前記振込希望情報が入力された時刻が前記期間情報により許可された期間外であると判定された場合に、前記指令制御手段を動作させないようにする第２禁止手段と、
を備えたことを特徴とする請求項１〜請求項４の何れかに記載の振込制御装置。
【請求項６】
振込人を含む複数の顧客の各人を特定するための識別情報、および各顧客の預金残高を対応させた口座情報が記憶された口座情報記憶手段と、
振込人により、少なくとも受取人口座を含む受取人の連絡先を表す受取人情報が入力されると、受取人が振込金を受け取るために使用する受取用パスワードを生成するパスワード生成手段と、
該パスワード生成手段により生成された受取用パスワードを、振込人の識別情報および前記受取人口座に関連付けて記憶する振込情報記憶手段と、
該パスワード生成手段により生成された受取用パスワード、および振込人を特定するための識別情報を前記受取人の連絡先に送信する振込情報送信手段と、
受取用パスワード、および指定振込金額が外部入力されると、該受取用パスワードが、前記振込情報記憶手段に記憶された受取用パスワードと一致するか否かを判定するパスワード判定手段と、
前記パスワード判定手段により、前記受取用パスワードが、前記振込情報記憶手段に記憶された受取用パスワードと一致すると判定された場合に、前記指定振込金額分だけ、前記口座情報記憶手段に振込人の識別情報と対応させて記憶された預金残高から減算して記憶し直すとともに、受取人口座と振込金額とを含む振込指令を受けると振込金額分だけ受取人口座の預金残高を加算する管理装置に対して前記指定振込金額分だけ加算するよう振込指令を送る指令制御手段と、
を備えたことを特徴とする振込制御システム。
【請求項７】
送金人を含む複数の顧客の各人を特定するための識別情報、および各顧客の金銭価値残高を対応させた口座情報が記憶された口座情報記憶手段と、
送金人により、送金人口座と受取人口座とが入力されると、該送金人口座から該受取人口座へ任意の金額を送金する事前送金手段と、
該送金人口座から該受取人口座への本送金情報を記憶する本送金情報記憶手段と、
外部入力者による前記本送金情報記憶手段に記憶された本送金情報の指定を検知して、前記本送金情報記憶手段から該当する本送金情報を抽出し、該本送金情報に基づいて本送金を実行する本送金実行手段と
を備えたことを特徴とする送金制御装置。
【請求項８】
前記本送金実行手段は、前記外部入力者の送金金額の入力を検知して、前記抽出された本送金として該送金金額を送金する
ことを特徴とする請求項７に記載の送金制御装置。
【手続補正２】
【補正対象書類名】明細書
【補正対象項目名】発明の名称
【補正方法】変更
【補正の内容】
【発明の名称】振込制御装置、および振込制御システム、並びに送金制御装置
【手続補正３】
【補正対象書類名】明細書
【補正対象項目名】０００１
【補正方法】変更
【補正の内容】
【０００１】
本発明は、金融機関における振込手続に使用される振込制御装置、および振込制御システム、並びに送金制御装置に関する。
【手続補正４】
【補正対象書類名】明細書
【補正対象項目名】００２３
【補正方法】変更
【補正の内容】
【００２３】
即ち、請求項１に記載の振込制御装置を構成する各手段をシステムとして構成している。
従って、このような振込制御システムによれば、請求項１に記載の振込制御装置と同様の効果が得られる。
さらに、請求項７に記載の送金制御装置は、送金人を含む複数の顧客の各人を特定するための識別情報、および各顧客の金銭価値残高を対応させた口座情報が記憶された口座情報記憶手段と、送金人により、送金人口座と受取人口座とが入力されると、該送金人口座から該受取人口座へ任意の金額を送金する事前送金手段と、該送金人口座から該受取人口座への本送金情報を記憶する本送金情報記憶手段と、外部入力者による前記本送金情報記憶手段に記憶された本送金情報の指定を検知して、前記本送金情報記憶手段から該当する本送金情報を抽出し、該本送金情報に基づいて本送金を実行する本送金実行手段とを備えたことを特徴としている。
また、請求項７に記載の送金制御装置においては、請求項８に記載のように、本送金実行手段は、外部入力者の送金金額の入力を検知して、抽出された本送金として該送金金額を送金するようにしてもよい。